(57)【要約】【課題】  インターネット等に接続している携帯情報端末へ情報を配信する機会を増やす。【解決手段】  配信された情報を再生し視聴するための出力デバイスを有する携帯情報端末１と、受信機能部１０と、状態監視機能部１１と、出力情報蓄積機能部１２と、タイミング制御機能部１３を備える。受信機能部１０で受信した出力情報と出力条件のうち、出力情報を出力デバイスに出力するタイミングを状態監視機能部１１で監視する。出力条件と携帯情報端末１の状態が合致した場合に出力情報が出力される。【選択図】      図２
2006309616.tif 000002
【特許請求の範囲】
【請求項１】
ネットワークを介して配信される情報の受信または情報伝達媒体を介して伝達される情報を取得する受信機能部を有する携帯情報端末と、
受信機能部が受信した情報を構成する出力情報と出力条件情報を対応付けて蓄積する出力情報蓄積機能部と、
携帯情報端末の動作状態を監視する状態監視機能部と、
携帯情報端末の動作状態と出力条件情報が合致したタイミングで出力情報を出力情報蓄積機能部から出力させるタイミング制御機能部と、
出力情報蓄積機能部から出力された出力情報を携帯情報端末の出力デバイスで視聴可能なデータ形式に成形して出力デバイスへ出力する出力制御機能部と、
を備えることを特徴とする情報配信システム。
【請求項２】
前記タイミング制御機能部は、携帯情報端末の動作状態に出力条件情報が合致しない間は出力情報蓄積機能部からの出力情報の出力を一時停止し、動作状態と出力条件情報が合致したことに応じて一時停止を解除することを特徴とする請求項１に記載の情報配信システム。
【請求項３】
前記タイミング制御機能部は、変化する動作状態のそれぞれについて出力条件が合致したタイミングでその合致の組み合わせに対応する出力情報を出力情報蓄積機能部から選択して出力させることを特徴とする請求項１に記載の情報配信システム。
【請求項４】
前記出力情報は、出力デバイスで閲覧可能な電子ファイルか、もしくはこの電子ファイルが格納された格納場所情報であることを特徴とする請求項１〜３のうちのいずれか１項に記載の情報配信システム。
【請求項５】
前記出力情報は、予め設定されたデフォルト情報を指定して出力デバイスへ出力する命令か、もしくは出力情報の内容にかかわらずデフォルト情報を出力デバイスへ出力する命令であることを特徴とする請求項１〜３のうちのいずれか１項に記載の情報配信システム。
【請求項６】
前記出力条件情報は、出力デバイスへ出力情報の出力が所定時間経過後に開始される命令、出力デバイスへ出力情報の出力が所定時刻に開始される命令、携帯情報端末へ直接に入力された出力条件命令、のうちの少なくとも１つ以上の命令の組み合わせを含んで構成されることを特徴とする請求項１〜３のうちのいずれか１項に記載の情報配信システム。
【請求項７】
前記出力情報蓄積機能部と、前記状態監視機能部と、前記タイミング制御機能部と、前記出力制御機能部は、携帯情報端末もしくはネットワークに接続されたサーバのいずれかに構築することが可能なことを特徴とする請求項１〜６のうちのいずれか１項に記載の情報配信システム。
【発明の詳細な説明】
【技術分野】
【０００１】
本発明は、インターネットや移動体通信網に接続している携帯情報端末へ情報を配信する機会を増やすための情報配信システムに関する。
【背景技術】
【０００２】
従来において、様々な種類の情報を情報受信者の要求に応じて提供することが行われている。たとえば、パソコンや携帯電話、スーパーマーケットやコンビニエンスストアのレジ等に併設された表示装置に広告情報を配信して表示し、さらに表示された情報を情報受信者が予め契約した掲載条件や掲載期限に基づいて消去するシステムが提案されている（特許文献１参照）。
【０００３】
また携帯情報端末に対し、広告やメッセージなどの情報を携帯受信端末の位置や希望する時間帯に応じて配信する情報配信サービスも実現されている。この情報配信サービスによれば、たとえば携帯情報端末が新宿に位置しているときには新宿についてのおすすめ情報を配信している。このように携帯情報端末の位置に応じた情報を電子メールを介して送信しているので、情報提供者は携帯情報端末を介して情報を利用する情報受信者に煩わしく感じさせない情報配信サービスを提供している（非特許文献１参照）。
【０００４】
あるいは携帯情報端末を介してから登録された口コミ情報に対して、登録時のユーザの位置、天候、同伴者、登録者の訪問履歴などを自動的に付与するとともに、登録された口コミ情報やメッセージなどを、情報受信者の状況（同伴者や天候など）に基づいて共有するシステムが提案されている。（非特許文献２参照）。
【０００５】
また、インターネットに接続している携帯情報端末へ画像情報や映像情報、音声情報、文字情報等を配信する方法として電子メールが用いられている。電子メールに配信の対象となる各種情報を添付して携帯情報端末へインターネットを介して送信し情報配信を行っている。配信された電子メールはユーザによる携帯情報端末の操作により視聴プログラムが起動して視聴可能な状態になり提供される。（非特許文献３、４参照）
【特許文献１】特開２００１−３４５７６７号公報、「情報表示システム及び表示端末」、ミノルタ株式会社
【非特許文献１】「グーパス：Ｇｏｏｐａｓ」サービス、小田急電鉄株式会社、インターネット＜http://www.goopas.jp/confirmation_g.html＞、[２００４年６月１日検索]
【非特許文献２】「位置情報に基づくコンテキスト生成方式」、末田欣子他５名著、社団法人映像情報メディア学会技術報告、コンシューマエレクトロニクス、映情学技報、Ｖｏｌ．２８、Ｎｏ．２４、ＩＳＳＮ  １３４２−６８９３、２００４年４月２３日発行、ｐ.２９−３５
【非特許文献３】SMTP Service Extensions for Transmission of Large and Binary  MIME Messages RFC1870
【非特許文献４】SMTP Service Extension for Message Size DeclarationURL:http://www.itef.org/rfc/rfc1870.txt?number=1870  2005年3月24日アクセス所属等：The Internet Engineering Task Force(IETF) Network Working Group Request For Comments:1870  著者：J.Klensin,WG Chair(MCI),N.Freed,Editor(Innosoft International,Inc.),K.Moore(University of Tennessee)
【発明の開示】
【発明が解決しようとする課題】
【０００６】
しかしながら、上述の方法では、携帯情報端末へ情報配信するにはユーザが配信される情報を受信して視聴するための操作を行うことが必要であり、同時にこの操作のタイミングが情報の配信の機会でもあるので、携帯情報端末への情報配信の機会が限定されてしまっていた。
【０００７】
本発明は、上記の課題に鑑みてなされたもので、その目的は、携帯情報端末へ情報を配信する機会を増やすことにある。
【課題を解決するための手段】
【０００８】
課題を解決するために、請求項１に記載の本発明は、ネットワークを介して配信される情報の受信または情報伝達媒体を介して伝達される情報を取得する受信機能部を有する携帯情報端末と、受信機能部が受信した情報を構成する出力情報と出力条件情報を対応付けて蓄積する出力情報蓄積機能部と、携帯情報端末の動作状態を監視する状態監視機能部と、携帯情報端末の動作状態と出力条件情報が合致したタイミングで出力情報を出力情報蓄積機能部から出力させるタイミング制御機能部と、出力情報蓄積機能部から出力された出力情報を携帯情報端末の出力デバイスで視聴可能なデータ形式に成形して出力デバイスへ出力する出力制御機能部と、を備える。
【０００９】
本発明においては、携帯情報端末で受信した情報を出力情報と出力条件情報とに別けて対応付けして出力情報蓄積機能部へ蓄積しておき、携帯情報端末の動作状態が出力条件と合致した場合に、形態情報端末の備える出力デバイスへ出力情報を出力して視聴可能にしている。
【００１０】
また、請求項２に記載の本発明は、請求項１において、前記タイミング制御機能部は、携帯情報端末の動作状態に出力条件情報が合致しない間は出力情報蓄積機能部からの出力情報の出力を一時停止し、動作状態と出力条件情報が合致したことに応じて一時停止を解除する。
【００１１】
本発明においては、携帯情報端末の動作状態が変化して出力条件情報と合致していない場合は出力情報の出力を一時停止し、再び動作状態が変化して出力条件情報と合致した場合は一時停止を解除している。
【００１２】
また、請求項３に記載の本発明は、請求項１において、前記タイミング制御機能部は、変化する動作状態のそれぞれについて出力条件が合致したタイミングでその合致の組み合わせに対応する出力情報を出力情報蓄積機能部から選択して出力させる。
【００１３】
本発明においては、使用場所の移動などに伴う携帯情報端末の動作状態の変化に応じて、変化する動作状態のそれぞれに対応した出力情報を出力情報蓄積機能部から選択して出力させている。さらに、動作状態に出力条件が合致しない場合は不一致とされて、不一致の場合に対応する出力情報（たとえば予め設定されたデフォルト情報）を出力情報蓄積機能部から選択して出力させる。
【００１４】
また、請求項４に記載の本発明は、請求項１〜３のうちのいずれか１項において、前記出力情報は、出力デバイスで閲覧可能な電子ファイルか、もしくはこの電子ファイルが格納された格納場所情報である。
【００１５】
本発明においては、携帯情報端末で視聴可能な電子ファイルや、電子ファイルの格納場所のアドレスなどの情報を出力情報としている。
【００１６】
また、請求項５に記載の本発明は、請求項１〜３のうちのいずれか１項において、前記出力情報は、予め設定されたデフォルト情報を指定して出力デバイスへ出力する命令か、もしくは出力情報の内容にかかわらずデフォルト情報を出力デバイスへ出力する命令である。
【００１７】
本発明においては、出力情報に応じて予め設定されたデフォルト情報を出力デバイスへ出力している。
【００１８】
また、請求項６に記載の本発明は、請求項１〜３のうちのいずれか１項において、前記出力条件情報は、出力デバイスへ出力情報の出力が所定時間経過後に開始される命令、出力デバイスへ出力情報の出力が所定時刻に開始される命令、携帯情報端末へ直接に入力された出力条件命令、のうちの少なくとも１つ以上の命令の組み合わせを含んで構成される。
【００１９】
本発明においては、出力条件情報に対して携帯情報端末の動作状態以外の命令を含ませている。
【００２０】
また、請求項７に記載の本発明は、請求項１〜６のうちのいずれか１項において、前記出力情報蓄積機能部と、前記状態監視機能部と、前記タイミング制御機能部と、前記出力制御機能部は、携帯情報端末もしくはネットワークに接続されたサーバのいずれかに構築することが可能である。
【００２１】
本発明においては、出力情報蓄積機能部と、前記状態監視機能部と、前記タイミング制御機能部と、前記出力制御機能部は携帯情報端末に備わってもよく、あるいはネットワークに接続されたサーバに構築することもできる。
【発明の効果】
【００２２】
本発明によれば、携帯情報端末へ情報を配信する機会を増やすことができる。
【００２３】
また、本発明による別の効果は、携帯情報端末の動作状態の変化に応じて情報の配信の実行と停止を制御することができる。
【００２４】
また、本発明による別の効果は、使用場所の移動などに伴う携帯情報端末の動作状態の変化に応じて、変化する動作状態のそれぞれに対応した出力情報を出力させることができる。
【００２５】
また、本発明による別の効果は、携帯情報端末で電子ファイルを閲覧することができる。
【００２６】
また、本発明による別の効果は、携帯情報端末で予め設定されたデフォルト情報を出力デバイスに出力させることができる。
【００２７】
また、本発明による別の効果は、携帯情報端末の出力デバイスに出力情報を出力する時間や任意の出力条件を設定することができる。
【００２８】
また、本発明による別の効果は、情報配信システムの構成を携帯情報端末もしくはネットワークに接続されたサーバに構築することも可能になる。
【発明を実施するための最良の形態】
【００２９】
以下、図面を参照して情報配信システムの実施の形態を説明する。
【００３０】
図１は情報配信システムの実施の形態の全体構成を説明するための構成図を示している。この図１には、携帯電話などの移動通信網４と、この移動通信網４に接続する携帯情報端末（ユーザ端末）１と、携帯情報端末１に含まれる携帯電話機５とＰＤＡ６とモバイルコンピュータ７と、ＧＰＳなどの位置情報を把握するためのデバイスで構成される位置発信デバイス８’と、インターネットなどの通信ネットワーク３と、携帯情報端末１へ情報を配信する情報配信サーバ２が示されている。
【００３１】
この図１に示した構成の情報配信システムは、図２に示す機能ブロック図の機能を提供可能に構成されている。この図２では図１の実施の形態の構成にて提供可能な機能をブロックごとに別けて示している。
【００３２】
ここで示している機能は、配信された情報を再生し視聴するための出力デバイスとしてディスプレイ２４とスピーカー２５とバイブレータ２６であり、他に、時計２０と、ディスプレイ２４などに適用される画面開閉２１と、キー操作２２と、認証機能部２３と、受信機能部１０と、状態監視機能部１１と、出力情報蓄積機能部１２と、タイミング制御機能部１３が示されている。そして情報配信制御部１００は受信機能部１０と、状態監視機能部１１と、出力情報蓄積機能部１２と、タイミング制御機能部１３を含んで構成され、実施の形態の情報配信システムの機能上の要部を成している。
【００３３】
さらに、位置特定８の機能は携帯情報端末１に備わる以外に独立したＧＰＳなどの位置特定機能に特化した位置発信デバイス８’で実現される。出力制御機能部１４は出力デバイスに出力する情報を出力先の出力デバイスに応じたデータ形式に成形する。
【００３４】
そして受信機能部１０においては、たとえばインターネットプロトコルを利用したＨＴＴＰ、ＦＴＰ、ＳＭＴＰなどの通信プロトコルを制御する機能や、携帯電話機５などに搭載されている赤外線通信を利用した通信機能や、ＱＲコードや電子すかしなどに代表される画像入力機能を図示しない情報抽出機能と連係させて、出力情報と出力条件を含む電子データで構成された電文２７を受信する。
【００３５】
受信機能部１０が受信した電文２７に含まれる出力情報は、画像情報、映像情報、音声情報、バイブレータ２６の振動を制御する振動制御情報などの情報である。あるいはこれらの出力情報を省略して任意のＵＲＬや、携帯情報端末１内における電子ファイルの格納位置を特定するためのディレクトリ情報や、携帯情報端末１内に予め設定されたデフォルトの情報や、予め設定されたリンク情報のいずれかで構成して出力情報の替わりとしてもよい。
【００３６】
そして電文２７に含まれる出力条件は、出力情報を出力デバイス（ディスプレイ２４、スピーカー２５、バイブレータ２６）へ出力開始するための出力開始条件を含んでおり、さらにこの出力を終了する出力終了条件を含んでもよい。そして出力開始条件と出力終了条件は任意の時刻からの相対的な経過時間や、時計２０より取得される時刻情報や、移動情報端末１のディスプレイ２４などの画面の開閉状態を監視する画面開閉２１や、キー操作２２や、認証機能部２３にて実行される認証操作や、ＧＰＳや携帯電話機５の基地局情報などの位置情報を取得した位置取得結果などを条件として設定することもできる。
【００３７】
すなわちこれらの情報に代表される携帯情報端末１にて取得可能なあらゆる情報の組み合わせを適用することが可能である。なお、出力条件として携帯情報端末１にて取得した情報を故意に設定せずに、出力情報の出力の準備が完了後すぐに出力デバイスへ出力するという条件を設定してもよい。
【００３８】
なお、出力条件以外に携帯情報端末１の備えるキーボードなどの入力手段から任意の出力条件を入力して設定してもよい。この場合に設定される出力条件は、たとえば携帯情報端末１を利用するユーザのスケジュールを喚起するリマインダとして、設定した条件が揃った時に出力情報を出力できる。
【００３９】
そして状態監視機能部１１は、移動情報端末１に内蔵された時計２０や、ディスプレイ２４などの画面の開閉状態の監視を行う画面開閉２１や、キーボード等を介したキー入力操作の監視を行うキー操作２２や、指紋認証に代表される認証機能情報の監視を行う認証機能部２３や、ＧＰＳや携帯電話機５の基地局情報などによる位置特定８を監視している。
【００４０】
そして受信機能部１０が受信した電文２７に含まれる出力条件と状態監視機能部１１が監視している携帯情報端末１の動作状態とを比較し、この比較結果に基づいて出力制御機能１４へ出力情報を出力するタイミングや、あるいは出力中の出力情報を出力停止するタイミングを制御する。
【００４１】
出力情報蓄積機能部１２は受信機能部１０が受信した電文２７に含まれる出力情報を一時的に蓄えている。ここで一時的に蓄えられた出力情報は状態監視機能部１１の監視結果に基づいてその出力が制御されている。出力情報を出力するタイミングであると状態監視機能部１１が判定した場合には、出力制御機能部１４に出力情報の電子データを送り、出力制御機能部１４はjpegエンコーダや、mpegエンコーダに代表される音声ファイルや、映像ファイルや、画像ファイルなどをディスプレイ２４やスピーカー２５およびバイブレータ２６などの出力デバイスで視聴可能なデータ形式に対応したデータ形式に成形する。なお、出力制御機能部１４に出力情報を一時的に蓄えることができ、かつ出力タイミングを制御可能な場合には出力情報蓄積機能部１２を独立して設けなくともよい。
【００４２】
そして状態監視機能部１１によって判定された出力情報の出力タイミングおよび停止タイミングに従って、タイミング制御機能部１３は出力制御機能部１４へ信号を送出し、出力情報の出力と停止をそれぞれ制御する。なお、出力情報蓄積機能部１２がある場合は出力情報の送出を出力するタイミングとして利用し、タイミング制御機能部１３が停止制御のみの機能を提供してもよい。
【００４３】
なお、図２に示した実施の形態の機能の構成は図１に示した通信ネットワーク３に接続している情報配信サーバ２において、同様の機能を発揮するコンピュータプログラムをインストールして実行させてもよい。あるいは携帯電話機５などの移動情報端末１に図２に示した構成と同様の機能を発揮するコンピュータプログラムをインストールして実行させてもよい。
【００４４】
図３に実施の形態の受信機能部１０にて実行される機能のフローチャートを示す。受信機能部１０は、携帯情報端末１に含まれる携帯電話機５などに搭載の赤外線通信による通信機能や、電子メールの送受信ソフトや、カメラ入力によるＱＲコードや電子すかしなどのイメージング情報取り込み機能などにより構成されている。これらの各種の機能により出力情報と出力条件を含む電文２７を受信する（ステップ１：Ｓ１）。
【００４５】
つぎに、電文２７から出力情報と出力条件を分割する（ステップ２：Ｓ２）。
【００４６】
つぎに、出力情報を出力情報蓄積機能部１２に蓄える（ステップ３：Ｓ３）。なお出力制御機能部１４に一時的に出力情報を蓄える機能がある場合は、この出力制御機能部１４に対して出力情報を送る。出力制御機能部１４は一時停止の状態もしくは、出力情報を出力する直前の状態で待機（一時停止）しタイミング制御機能部１３からの命令で出力の開始もしくは一時停止をすることができる。
【００４７】
つぎに、出力条件を状態監視機能部１１に渡す（ステップ４：Ｓ４）。この際に出力条件とともに対応する出力情報を渡した際の管理するための情報を渡し、終了する（ステップ５：Ｓ５）。
【００４８】
図４に実施の形態の状態監視機能部１１で実行される監視機能のフローチャートを示す。まず受信機能部１０が受信した電文２７に含まれる出力条件を受信し（ステップ１０：Ｓ１０）、この出力条件を一時保管する（ステップ１１：Ｓ１１）。
【００４９】
つぎに、携帯情報端末１に内蔵された時計２０や、ディスプレイ２４の画面開閉２１の状態の監視や、キー操作２２の監視や、指紋認証に代表される認証機能部２３で得た認証情報の監視や、ＧＰＳや携帯電話機５の基地局より得られる位置情報による位置特定８の監視などの全ての携帯情報端末１にて取得可能な情報を監視する（ステップ１２：Ｓ１２）。
【００５０】
つぎに一時保管している出力条件と携帯情報端末１が取得した情報とを比較し（ステップ１３：Ｓ１３）、出力条件と情報とが合致した場合にタイミング制御機能部１３に出力情報の出力開始もしくは出力終了を実行させる情報を通知し（ステップ１４：Ｓ１４）、終了する（ステップ１５：Ｓ１５）。
【００５１】
図５に実施の形態のタイミング制御機能部１３で実行されるタイミング制御のフローチャートを示す。
【００５２】
まず状態監視機能部１１が出力条件を受信（ステップ２０：Ｓ２０）する。この出力条件の内容が出力情報の出力終了指示の場合は出力制御機能部１４に停止指示を与える（ステップ２２：Ｓ２２）。
【００５３】
一方、状態監視機能部１１が受信した出力条件の内容が出力情報の出力開始指示の場合は、出力情報蓄積機能部１２が配置された位置によって次ステップの動作が異なり、このため配置の判断が行われる（ステップ２３：Ｓ２３）。
【００５４】
そして、この判断で出力情報蓄積機能部１２が出力制御機能部１４の出力制御機能内である場合は、出力制御機能部１４に対して出力情報の出力開始を指示する（ステップ２５：Ｓ２５）。一方、出力情報蓄積機能部１２が出力制御機能部１４の出力制御機能外である場合は、出力情報蓄積機能部１２に出力情報を送出する指示を与える（ステップ２４：Ｓ２４）。
【００５５】
以上説明した実施の形態によれば、携帯情報端末へ情報を配信する機会を増やすことができる。
【００５６】
また、実施の形態による別の効果は、携帯情報端末の動作状態の変化に応じて情報の配信の実行と停止を制御することができる。
【００５７】
また、実施の形態による別の効果は、使用場所の移動などに伴う携帯情報端末の動作状態の変化に応じて、変化する動作状態のそれぞれに対応した出力情報を出力させることができる。
【００５８】
また、実施の形態による別の効果は、携帯情報端末で電子ファイルを閲覧することができる。
【００５９】
また、実施の形態による別の効果は、携帯情報端末で予め設定されたデフォルト情報を出力デバイスに出力させることができる。
【００６０】
また、実施の形態による別の効果は、携帯情報端末の出力デバイスに出力情報を出力する時間や任意の出力条件を設定することができる。
【００６１】
また、実施の形態による別の効果は、情報配信システムの構成を携帯情報端末もしくはネットワークに接続されたサーバに構築することも可能になる。
【図面の簡単な説明】
【００６２】
【図１】実施の形態の情報配信制御システムの全体構成図を示す。
【図２】実施の形態の情報配信システムの機能ブロック図を示す。
【図３】実施の形態の受信機能を説明するためのフローチャートを示す。
【図４】実施の形態の状態監視機能を説明するためのフローチャートを示す。
【図５】実施の形態のタイミング制御機能を説明するためのフローチャートを示す。
【符号の説明】
【００６３】
１  携帯情報端末（ユーザ端末）
２  情報配信サーバ
３  通信ネットワーク
４  移動通信網
５  携帯電話
６  ＰＤＡ
７  モバイルコンピュータ
８’  位置発信デバイス
１０  受信機能部
１１  状態監視機能部
１２  出力情報蓄積機能部
１３  タイミング制御機能部
１４  出力制御機能部
２０  時計
２１  画面開閉
２２  キー操作
２３  認証機能部
２４  ディスプレィ
２５  スピーカ
２６  バイブレータ
１００  情報配信制御部
Ｓ１〜Ｓ２５  ステップ１〜ステップ２５
【図１】
2006309616.tif 000003
【図２】
2006309616.tif 000004
【図３】
2006309616.tif 000005
【図４】
2006309616.tif 000006
【図５】
2006309616.tif 000007